(57)【要約】【課題】送信信号の電力の変動に起因する受信特性の劣化を抑制することが可能な無線装置およびノイズ処理方法を提供する。【解決手段】無線装置は、ＲＦ部を用いて受信した受信信号を出力するＬＮＡと、受信用のローカル信号を生成するＲｘ発振器と、受信用のローカル信号のレベルを変更可能なバッファアンプと、受信用のローカル信号と受信信号とを混合して復調用の受信信号を生成する変換回路と、送信信号を送信する送信部と、送信信号の電力の設定を行う送信処理部と、送信処理部が設定した電力と、その電力が設定される直前に設定された電力と、の電力差分を算出する差分算出部と、電力差分が変動量閾値を超える場合には受信用のローカル信号のレベルを所定のレベルよりも高くし、電力差分が変動量閾値を超えていない場合には受信用のローカル信号のレベルを所定のレベルにするノイズ処理部と、を含む。【選択図】図１
2012165164.tif 000002
【特許請求の範囲】
【請求項１】
アンテナ手段を用いて受信した受信信号を出力する受信手段と、
前記受信信号に混合されるローカル信号を生成する生成手段と、
前記ローカル信号のレベルを変更可能な可変増幅手段と、
前記ローカル信号と前記受信信号とを混合して復調用の受信信号を生成する混合手段と、
送信信号を送信する送信手段と、
前記送信信号の電力の設定を行う送信処理手段と、
前記送信処理手段が前記送信信号の電力を設定すると、当該電力と、当該電力が設定される直前に前記送信処理手段が設定した電力と、の電力差分を算出する算出手段と、
前記算出手段が算出した電力差分が変動量閾値を超える場合には前記可変増幅手段を制御して前記ローカル信号のレベルを所定のレベルよりも高くし、前記電力差分が前記変動量閾値を超えていない場合には前記ローカル信号のレベルを前記所定のレベルにする制御手段と、を含む無線装置。
【請求項２】
請求項１に記載の無線装置において、
前記制御手段は、前記復調用の受信信号の受信強度を測定し、当該受信強度が強度閾値を超える場合には前記ローカル信号のレベルを前記所定のレベルにする、無線装置。
【請求項３】
請求項２に記載の無線装置において、
前記送信処理手段は、所定の変調処理をデータ信号に施して前記送信信号を生成し、当該送信信号を前記送信手段に出力し、
前記制御手段は、
前記受信信号に施された変調処理を特定する受信処理手段と、
前記受信信号の受信強度が、前記受信処理手段が特定した変調処理に応じた特定閾値を超える場合には前記ローカル信号のレベルを前記所定のレベルにするレベル制御手段と、を含む、無線装置。
【請求項４】
請求項２または３に記載の無線装置において、
前記送信処理手段は、所定の周波数帯域幅の前記送信信号を前記送信手段に出力し、
前記制御手段は、
前記受信信号の周波数帯域幅を特定する受信処理手段と、
前記受信信号の受信強度が、前記受信処理手段が特定した周波数帯域幅に応じた所定閾値を超える場合には前記ローカル信号のレベルを前記所定のレベルにするレベル制御手段と、を含む、無線装置。
【請求項５】
アンテナ手段を用いて受信した受信信号を出力する受信手段と、前記受信信号に混合されるローカル信号を生成する生成手段と、前記ローカル信号のレベルを変更可能な可変増幅手段と、前記ローカル信号と前記受信信号とを混合して復調用の受信信号を生成する混合手段と、送信信号を送信する送信手段と、前記送信信号の電力の設定を行う送信処理手段と、を有する無線装置におけるノイズ処理方法であって、
前記送信処理手段が前記送信信号の電力を設定すると、当該電力と、当該電力が設定される直前に前記送信処理手段が設定した電力と、の電力差分を算出する算出ステップと、
前記算出ステップにて算出された電力差分が変動量閾値を超える場合には前記可変増幅手段を制御して前記ローカル信号のレベルを所定のレベルよりも高くし、前記電力差分が前記変動量閾値を超えていない場合には前記ローカル信号のレベルを前記所定のレベルにする制御ステップと、を含むノイズ処理方法。
【請求項６】
請求項５に記載のノイズ処理方法において、
前記制御ステップでは、前記復調用の受信信号の受信強度を測定し、当該受信強度が強度閾値を超える場合には前記ローカル信号のレベルを前記所定のレベルにする、ノイズ処理方法。
【発明の詳細な説明】
【技術分野】
【０００１】
本発明は、無線装置およびノイズ処理方法に関する。
【背景技術】
【０００２】
ＦＤＤ（Frequency Division Duplex）方式を採用しているＷＣＤＭＡ（Wideband Code Division Multiple Access）やＬＴＥ（Long Term Evolution）などの通信システムでは、電波の送信と受信とが同時に行われることがある。
【０００３】
特許文献１には、送信信号の送信中に受信信号の復調を行う無線装置が記載されている。特許文献１に記載の無線装置は、ローカル信号を発振する発振器と、ローカル信号を増幅して出力する可変増幅器と、受信信号とローカル信号とを混合する混合器と、混合器で混合された受信信号を復調する復調器と、送信信号を出力する変調器と、送信信号のレベルを検出する検出回路と、を備えている。
【０００４】
特許文献１に記載の無線装置は、検出回路が検出した送信信号のレベルが高いときに、可変増幅器から出力されるローカル信号のレベルを高くする。よって、送信信号が混合器にリークして混合器で混合された受信信号に送信信号がノイズとして重畳されても、受信信号の受信特性の劣化が抑制される。
【先行技術文献】
【特許文献】
【０００５】
【特許文献１】特開２００３−２８３３６１号公報
【発明の概要】
【発明が解決しようとする課題】
【０００６】
特許文献１に記載の無線装置では、送信信号が混合器にリークして受信信号にノイズが重畳されることの他に、送信信号の電力の急激な変動によっても受信信号にノイズが重畳される。このため、送信信号の電力が急激に変動するときに受信特性が劣化するという問題があった。
【０００７】
本発明の目的は、送信信号の電力の変動に起因する受信特性の劣化を抑制する無線通信装置および通信方法を提供することにある。
【課題を解決するための手段】
【０００８】
本発明の無線通信装置は、アンテナ手段を用いて受信した受信信号を出力する受信手段と、前記受信信号に混合されるローカル信号を生成する生成手段と、前記ローカル信号のレベルを変更可能な可変増幅手段と、前記ローカル信号と前記受信信号とを混合して復調用の受信信号を生成する混合手段と、送信信号を送信する送信手段と、前記送信信号の電力の設定を行う送信処理手段と、前記送信処理手段が前記送信信号の電力を設定すると、当該電力と、当該電力が設定される直前に前記送信処理手段が設定した電力と、の電力差分を算出する算出手段と、前記算出手段が算出した電力差分が変動量閾値を超える場合には前記可変増幅手段を制御して前記ローカル信号のレベルを所定のレベルよりも高くし、前記電力差分が前記変動量閾値を超えていない場合には前記ローカル信号のレベルを前記所定のレベルにする制御手段と、を含む。
【０００９】
本発明のノイズ処理方法は、アンテナ手段を用いて受信した受信信号を出力する受信手段と、前記受信信号に混合されるローカル信号を生成する生成手段と、前記ローカル信号のレベルを変更可能な可変増幅手段と、前記ローカル信号と前記受信信号とを混合して復調用の受信信号を生成する混合手段と、送信信号を送信する送信手段と、前記送信信号の電力の設定を行う送信処理手段と、を有する無線装置におけるノイズ処理方法であって、前記送信処理手段が前記送信信号の電力を設定すると、当該電力と、当該電力が設定される直前に前記送信処理手段が設定した電力と、の電力差分を算出する算出ステップと、前記算出ステップにて算出された電力差分が変動量閾値を超える場合には前記可変増幅手段を制御して前記ローカル信号のレベルを所定のレベルよりも高くし、前記電力差分が前記変動量閾値を超えていない場合には前記ローカル信号のレベルを前記所定のレベルにする制御ステップと、を含む。
【発明の効果】
【００１０】
本発明によれば、送信信号の電力の変動に起因する受信特性の劣化を抑制することが可能になる。
【図面の簡単な説明】
【００１１】
【図１】本発明の第１実施形態における無線装置を示すブロック図である。
【図２】第１実施形態におけるノイズ処理方法を示すフローチャートである。
【図３】第２実施形態におけるノイズ処理方法を示すフローチャートである。
【図４】第３実施形態におけるノイズ処理方法を示すフローチャートである。
【図５】第４実施形態におけるノイズ処理方法を示すフローチャートである。
【発明を実施するための形態】
【００１２】
以下、本発明の各実施形態について図面を参照して説明する。
【００１３】
図１は、本発明の第１実施形態における無線装置を示すブロック図である。
【００１４】
無線装置１００は、ＷＣＤＭＡやＬＴＥを採用する通信システムに用いられる無線通信装置である。通信装置１００は、無線基地局へ送信信号の送信を行うと共に受信信号の復調を行う。無線装置１００は、例えば、携帯電話機により実現される。
【００１５】
無線装置１００は、信号処理装置１と、ＲＦ（Radio Frequency）装置２と、を備える。信号処理部１は、ノイズ処理部１Ａと、送信処理部１７と、差分算出部１８と、を備える。ノイズ処理部１Ａは、レベル制御部１９と受信処理部２０とを備える。ＲＦ装置２は、ＲＦ部４と、ＲＦＩＣ（Radio Frequency Integrated Circuit）部５と、を備える。ＲＦ部４は、アンテナ３と、アンテナＳＷ６と、フィルタ７と、増幅器１５と、アイソレータ１６と、を備える。
【００１６】
信号処理部１は、デジタル信号処理を行う装置である。信号処理部１は、無線基地局宛ての送信信号を生成して変換回路１４に出力する。また、信号処理部１は、受信信号にデジタル信号処理を行う。
【００１７】
ＲＦ装置２は、無線信号により無線基地局と通信を行うために用いられる。
【００１８】
ＲＦＩＣ部５は、信号処理部１にて生成された送信信号に対しＤ／Ａ（Digital to Analog）変換と周波数変換とを行う。また、ＲＦＩＣ部５は、受信信号に対し周波数変換とＡ／Ｄ（Analog to Digital）変換とを行う。ＲＦＩＣ部５は、送信部５Ａと、ＬＮＡ（Low Noise Amplifier）８と、変換回路９と、バッファアンプ１０と、Ｒｘ発振器１１と、を備える。
【００１９】
送信部５Ａは、一般的に送信手段と呼ぶことができる。
【００２０】
送信部５Ａは、ＲＦ部４を用いて送信信号を送信する。送信部５Ａは、Ｔｘ発振器１２と、バッファアンプ１３と、変調回路１４と、を備える。
【００２１】
Ｔｘ発振器１２は、送信信号に混合されるローカル信号を生成する。Ｔｘ発振器１２は、例えば、ＰＬＬ（Phase-locked loop）シンセサイザにより実現される。Ｔｘ発振器１２は、そのローカル信号をバッファアンプ１３に出力する。
【００２２】
バッファアンプ１３は、Ｒｘ発振器１１から出力されたローカル信号を増幅して、増幅後のローカル信号を変換回路１４に出力する。
【００２３】
変換回路１４は、バッファアンプ１３から増幅後のローカル信号を受け付け、信号処理部１から送信信号を受け付けると、増幅後のローカル信号と送信信号とを混合する。変換回路９は、その混合された送信信号を増幅器１５に出力する。
【００２４】
ＲＦ部４は、一般的にアンテナ手段と呼ぶことができる。
【００２５】
ＲＦ部４は、アンテナ３を介して無線信号により送信信号を無線基地局へ出力する。また、ＲＦ部４は、アンテナ３から出力された無線信号をＬＮＡ８に出力する。
【００２６】
増幅器１５は、変換回路１４から送信信号を受け付けるとその送信信号の電力を増幅して、増幅後の送信信号をアイソレータ１６に出力する。増幅器１５は、送信信号を高いパワーに増幅可能なＰＡ（Power Amplifier）である。
【００２７】
アイソレータ１６は、増幅器１５から出力される送信信号の逆流を抑制するために用いられる。
【００２８】
フィルタ７は、送信信号と受信信号とを分離するデュプレクサである。
【００２９】
アンテナＳＷ６は、アンテナ３を送信用のアンテナから受信用のアンテナに切り替える、または、アンテナ３を受信用のアンテナから送信用のアンテナに切り替える。
【００３０】
アンテナ３は、無線装置１００と無線基地局との間で無線信号の送信と受信とを行うために用いられる。
【００３１】
ＬＮＡ８は、一般的に受信手段と呼ぶことができる。
【００３２】
ＬＮＡ８は、ＲＦ部４を用いて無線信号を受信し、その受信した無線信号を増幅する。ＬＮＡ８は、増幅後の無線信号を受信信号として変換回路９に出力する。ＬＮＡ８は、ノイズを抑制しつつ受信した無線信号を増幅可能なアンプである。
【００３３】
Ｒｘ発振器１１は、一般的に生成手段と呼ぶことができる。
【００３４】
Ｒｘ発振器１１は、受信信号に混合される受信用のローカル信号を生成する。Ｒｘ発振器１１は、例えば、ＰＬＬ（Phase-locked loop）シンセサイザにより実現される。Ｒｘ発振器１１は、受信用のローカル信号をバッファアンプ１０に出力する。
【００３５】
バッファアンプ１０は、一般的に可変増幅手段と呼ぶことができる。
【００３６】
バッファアンプ１０は、Ｒｘ発振器１１から出力されたローカル信号を増幅し、かつ、ローカル信号のレベルを変更可能なバッファである。バッファアンプ１０は、増幅後のローカル信号を変換回路９に出力する。
【００３７】
変換回路９は、一般的に混合手段と呼ぶことができる。
【００３８】
変換回路９は、バッファアンプ１０から増幅後のローカル信号を受け付け、ＬＮＡ８から受信信号を受け付けると、増幅後のローカル信号と受信信号とを混合して復調用の受信信号を生成する。変換回路９は、復調用の受信信号を受信処理部２０に出力する。
【００３９】
送信処理部１７は、一般的に送信処理手段と呼ぶことができる。
【００４０】
送信処理部１７は、無線基地局宛ての通信情報を示すデータ信号に所定の変調処理を施して所定の周波数帯域幅の送信信号を生成する。また、送信処理部１７は、送信信号に施された変調処理を示す変調情報と、送信信号の周波数帯域幅を示す帯域幅情報と、を送信信号内に生成する。送信処理部１７は、送信信号の電力の設定を行い、設定後の送信信号を出力する。
【００４１】
送信処理部１７は、ＱＰＳＫ（Quadrature Phase Shift Keying：四位相偏移変調）または６４ＱＡＭ（Quadrature Amplitude Modulation：６４値直角位相振幅変調）の変調処理をデータ信号に施す。
【００４２】
また、送信処理部１７は、送信信号の電力が間欠的に変化するバースト信号を生成する。例えば、ＰＲＡＣＨ（Physical Random Access Channel）を用いて無線基地局と通信を行う場合、送信処理部１７は、無線基地局に対し通信チャンネルの割り当てを要求するのに、予め定められた期間のスロット間隔ごとにバースト信号の２値の電力の設定を行う。送信処理部１７は、例えば、無線信号を出力する送信電力を設定した後、送信を停止する停止電力を設定する。
【００４３】
また、送信処理部１７は、無線基地局と無線装置１００との間の電波環境によって送信信号の電力を制御する。例えば送信処理部１７は、無線基地局から基準信号を受け付け、その基準信号のレベルが低くなるにつれて、送信信号の電力を段階的に高く設定する。例えば、送信信号の電力は＋２６ｄＢｍから−５６ｄＢｍの範囲内で設定される。
【００４４】
送信処理部１７は、設定した送信信号の電力を示す電力情報が含まれた送信信号を、送信部５Ａと差分算出部１８とに出力する。
【００４５】
差分算出部１８は、一般的に算出手段と呼ぶことができる。
【００４６】
差分算出部１８は、送信処理部１７が設定した電力Ｐと、その電力Ｐが設定される直前に送信処理部１７が設定した前回の電力Ｐpreと、の電力差分Ｐdiffを算出する。
【００４７】
本実施形態では、差分算出部１８は、送信信号に含まれる電力情報を受け付けるとその電力情報の示す電力値Ｐpreを保持する。その後さらに差分算出部１８は、電力情報を受け付けるとその電力情報の示す電力Ｐから、保持されている電力値Ｐpreを減算し、その減算した差分を電力差分Ｐdiffとして算出する。差分算出部１８は、例えばスロット間隔ごとに電力差分Ｐdiffを算出し、電力差分Ｐdiffを算出するたびに電力差分Ｐdiffをノイズ処理部１Ａ内のレベル制御部１９に出力する。
【００４８】
ノイズ処理部１Ａは、一般的に制御手段と呼ぶことができる。
【００４９】
ノイズ処理部１Ａは、差分算出部１８が算出した電力差分が変動量閾値を超える場合には、バッファアンプ１０を制御して受信用のローカル信号のレベルを通常のレベルよりも高くする。一方、ノイズ処理部１Ａは、電力差分が変動量閾値を超えていない場合には、受信用のローカル信号のレベルを通常のレベルにする。
【００５０】
レベル制御部１９は、一般的にレベル制御手段と呼ぶことができる。
【００５１】
レベル制御部１９は、送信信号の電力の変動によって受信特性が劣化するか否かを判定するための変動量閾値を保持する。レベル制御部１９は、差分算出部１８から電力差分Ｐdiffを受け付けると電力差分Ｐdiffが変動量閾値を超えるかどうかの確認を行う。
【００５２】
電力差分Ｐdiffが変動量閾値を超える場合にレベル制御部１９は、バッファアンプ１０を制御して受信用のローカル信号のレベルを、予め定められた通常のレベルよりも高くする。つまり、レベル制御部１９は、電力差分Ｐdiffが変動量閾値を超える場合に、受信用のローカル信号の増幅を行うバッファアンプ１０の増幅利得を高くする。なお、通常のレベルは、所定のレベルと呼ぶこともある。
【００５３】
一方、レベル制御部１９は、電力差分Ｐdiffが変動量閾値を超えていない場合には、バッファアンプ１０を制御して受信用のローカル信号のレベルを通常のレベルにする。例えばローカル信号のレベルを高くした後に差分算出部１８から受け付けた電力差分Ｐdiffが変動量閾値を超えていない場合には、レベル制御部１９は、受信用のローカル信号のレベルを通常のレベルに戻す。
【００５４】
受信処理部２０は、一般的に受信処理手段と呼ぶことができる。
【００５５】
受信処理部２０は、変換回路９から復調用の受信信号を受け付けると、その受信信号を復調するデジタル信号処理を行う。例えば、受信処理部２０は、無線基地局でＱＰＳＫまたは６４ＱＡＭの変調処理が施された受信信号を復調する。
【００５６】
受信処理部２０は、ＱＰＳＫまたは６４ＱＡＭの変調処理のうち、復調用の受信信号に施された変調処理を特定する。例えば、受信処理部２０は、変調処理を示す変調情報が含まれた受信信号を受け付けると、受信信号に含まれた変調情報の示す変調処理を、復調用の受信信号に施された変調処理として特定する。
【００５７】
また、受信処理部２０は、復調用の受信信号の周波数帯域幅を特定する。例えば、ＬＴＥを採用する通信システムでは、無線装置１００と無線基地局との間の電波の伝搬状況に応じて、１．４ＭＨｚ、３ＭＨｚ、５ＭＨｚ、１０ＭＨｚ、１５ＭＨｚ、２０ＭＨｚのうちいずれか１つの周波数帯域幅の無線信号が用いられる。この場合、受信処理部２０は、周波数帯域幅を示す帯域幅情報が含まれた受信信号を受け付けると、受信信号に含まれた帯域幅情報の示す周波数帯域幅を、復調用の受信信号の周波数帯域幅として特定する。
【００５８】
また、受信処理部２０は、デジタル信号処理を実行してデジタル化されたスロット間隔の受信信号を平均化してＲＳＳＩ（Received Signal Strength Indication：受信信号強度）値を算出する。ＲＳＳＩ値は、受信信号の強さを数値化したものである。なお、ＲＳＳＩ値は、受信強度とも呼ばれる。
【００５９】
受信信号を復調すると受信処理部２０は、復調後の受信信号をＣＰＵ（Central Processing Unit）装置へ出力する。ＣＰＵ装置は、例えば、無線基地局からの接続指示を示す受信信号を受け付けると、その受信信号の示す接続指示に従って接続処理を実行する。
【００６０】
図２は、無線装置１００のノイズ処理方法の処理手順例を示すフローチャートである。
【００６１】
まず、送信処理部１７は、送信信号の電力を電力Ｐに設定する（ステップＳ１１）。差分算出部１８は、送信処理部１７が設定した電力Ｐと、その電力Ｐを設定する直前に設定された前回の電力Ｐpreと、の電力差分Ｐdiffを算出する（ステップＳ１２）。本実施形態では、差分算出部１８は、送信処理部１７が設定した電力Ｐから前回の電力Ｐpreを減算した電力差分Ｐdiffを算出する。
【００６２】
差分算出部１８が電力差分Ｐdiffを算出するとレベル制御部１９は、電力差分Ｐdiffと変動量閾値とを比較する（ステップＳ１３）。電力差分Ｐdiffが変動量閾値を超える場合には、送信信号の電力の変動が大きいので送信信号の電流変動が大きく、送信信号と受信信号との間のカップリング（干渉）が大きいと考えられる。
【００６３】
したがってレベル制御部１９は、電力差分Ｐdiffが変動量閾値を超える場合には、バッファアンプ１０を制御して、受信用のローカル信号のレベルを通常のレベルよりも高くする、すなわち、バッファアンプ１０の増幅利得を上げる（ステップＳ１５）。よって、無線装置１００は、復調用の受信信号のＣ／Ｎ比（搬送波対雑音比）を向上させ、受信信号のノイズ耐性を強めることにより、送信信号の信号ラインからのカップリングに起因する受信信号の受信感度の劣化を抑制することが可能となる。
【００６４】
一方、レベル制御部１９は、電力差分Ｐdiffが変動量閾値以下である場合には、バッファアンプ１０を制御して、受信用のローカル信号のレベルを通常のレベルに設定する（ステップＳ１４）。
【００６５】
そしてステップＳ１４またはＳ１５の処理が行われると、無線装置１００は、ノイズ処理方法の処理手順を終了する。
【００６６】
第１実施形態によれば、無線装置１００は、ＲＦ部４を用いて無線信号を受信し、その無線信号を受信信号として出力するＬＮＡ８と、受信信号に混合される受信用のローカル信号を生成するＲｘ発振器１１と、受信用のローカル信号のレベルを変更可能なバッファアンプ１０と、受信用のローカル信号と受信信号とを混合して復調用の受信信号を生成する変換回路９と、を有する。さらに無線装置１００は、ＲＦ部４を用いて送信信号を送信する送信部５Ａと、送信信号の電力の設定を行う送信処理部１７と、を有する。この無線装置１００において、差分算出部１８は、送信処理部１７が設定した電力と、その電力が設定される直前に送信処理部１７が設定した電力と、の電力差分を算出する。そしてレベル制御部１９は、電力差分が変動量閾値を超える場合には、バッファアンプ１０を制御して受信用のローカル信号のレベルを通常のレベルよりも高くする。電力差分が変動量閾値を超えていない場合には、レベル制御部１９は、受信用のローカル信号のレベルを通常のレベルにする。
【００６７】
一般に、送信信号の信号ラインと受信信号の信号ラインとが近接して配置された無線装置１００では、送信信号の急激な電力の変動により磁界が発生し、その磁界に起因して受信信号にノイズが重畳されることがある。受信信号にノイズが重畳されると受信信号のＣ／Ｎが低下し、ＢＥＲ（Bit Error Rate：符号誤り率）が悪くなり受信特性が劣化する。送信信号の電力が急激に変動する例としては、例えば、無線装置１００がバースト信号を送信する場合や、無線基地局との通信環境が悪くなるにつれて送信信号の電力を段階的に高く設定する機能を有する無線装置１００が、通信環境が悪くなり送信信号の電力を高く設定したときが考えられる。
【００６８】
このため、無線装置１００は、送信信号の電力差分を算出し、その電力差分が変動量閾値を超える場合に、受信用のローカル信号の増幅を行うバッファアンプ１０の増幅利得を上げる。よって、無線装置１００では、送信信号の急激な電力の変動に起因して受信信号にノイズが重畳されても、復調用の受信信号のＣ／Ｎを十分に確保することが可能となり、受信特性の劣化を回避することが可能となる。
【００６９】
次に第２実施形態の無線装置につて説明する。なお、第２実施形態の無線装置の基本的な構成は、第１実施形態の無線装置１００と同様の構成である。
【００７０】
無線装置では、送信信号の電力の急激な変動により受信信号のＣ／Ｎ比が悪くなっても、受信処理部２０が測定したＲＳＳＩ値が十分に高い場合には、受信信号の受信特性はそれほど劣化しない。
【００７１】
そこで第２実施形態では、レベル制御部１９が、電力差分とＲＳＳＩ値とを用いて受信用のローカル信号のレベルを制御する。ここでは、レベル制御部１９は、受信特性の劣化の可能性の有無を判定するための強度閾値を予め保持している。
【００７２】
図３は、第２実施形態におけるノイズ処理方法を示すフローチャートである。
【００７３】
まず、送信処理部１７は、送信信号の電力を電力Ｐに設定する（ステップＳ２１）。差分算出部１８は、送信処理部１７が設定した電力Ｐから前回の電力Ｐpreを減算した電力差分Ｐdiffを算出する（ステップＳ２２）。
【００７４】
差分算出部１８が電力差分Ｐdiffを算出するとレベル制御部１９は、電力差分Ｐdiffと変動量閾値とを比較する（ステップＳ２３）。そしてレベル制御部１９は、電力差分Ｐdiffが変動量閾値以下である場合には、バッファアンプ１０を制御して、受信用のローカル信号のレベルを通常のレベルに設定する（ステップＳ２７）。
【００７５】
一方、電力差分Ｐdiffが変動量閾値を超える場合には受信処理部２０は、復調用の受信信号のＲＳＳＩ値を測定する（ステップＳ２４）。受信処理部２０は、そのＲＳＳＩ値をレベル制御部１９に出力する。
【００７６】
レベル制御部１９は、受信処理部２０からＲＳＳＩ値を受け付けると、ＲＳＳＩ値と強度閾値とを比較する（ステップＳ２５）。ＲＳＳＩ値が強度閾値よりも低い場合には、受信信号のレベルが低いので、受信信号は、送信信号の電力の変動によって重畳されるノイズに対する耐性が弱いと考えられる。
【００７７】
したがってＲＳＳＩ値が強度閾値よりも低い場合にはレベル制御部１９は、バッファアンプ１０を制御して、受信用のローカル信号のレベルを通常のレベルよりも高くする（ステップＳ２６）。よって、無線装置１００は、復調用の受信信号のＣ／Ｎ比を向上させ、受信信号のノイズ耐性を強めることにより、受信感度の劣化を抑制することが可能となる。
【００７８】
一方、レベル制御部１９は、ＲＳＳＩ値が強度閾値を超える場合にはバッファアンプ１０を制御して受信用のローカル信号のレベルを通常のレベルに設定する（ステップＳ２７）。
【００７９】
そしてステップＳ２６またはＳ２７の処理が終了すると、無線装置１００はノイズ処理方法の処理手順を終了する。
【００８０】
第２実施形態によれば、ノイズ処理部２０は、復調用の受信信号のＲＳＳＩ値を測定し、そのＲＳＳＩ値が強度閾値を超えない場合には、バッファアンプ１０を制御してバッファ１０から出力される受信用のローカル信号のレベルを通常のレベルにする。
【００８１】
よって、第２実施形態の無線装置は、電力差分が変動量閾値を超える場合であっても、受信信号のＲＳＳＩ値が強度閾値を超えているときは、受信用のローカル信号のレベルを通常のレベルにする。このため、送信信号の電力の急激な変動により復調用の受信信号のＣ／Ｎ比が悪くなっても受信特性が殆ど劣化しない受信信号を復調する場合、無線装置は、受信用のローカル信号のレベルを高くすることなく通常のレベルに維持する。したがって、無線装置は、受信用のローカル信号のレベルを高くすることに伴うバッファアンプ１０の消費電力の増大を抑制することが可能となる。
【００８２】
次に第３実施形態の無線装置について説明する。なお、第３実施形態の無線装置の基本的な構成は、第２実施形態の無線装置と同様の構成である。
【００８３】
ＷＣＤＭＡやＬＴＥを採用する通信システムでは、無線装置と無線基地局との間の電波の伝搬状況に応じて、ＱＰＳＫと６４ＱＡＭのうちいずれか１つの変調方式が設定される。ＱＰＳＫは、１クロックで４値（２ビット）の情報を伝送できる。一方、６４ＱＡＭは、１クロックで６４値（６ビット）の情報を伝送できる。６４ＱＡＭは、ＱＰＳＫよりも変調密度が高い。このため、ＱＰＳＫよりも６４ＱＡＭの変調処理が施された受信信号の受信特性の方が劣化し易い。
【００８４】
そこで第３実施形態のレベル制御部１９は、変調方式ごとに変調方式の変調処理に応じたＲＳＳＩの閾値を予め保持しておき、変調方式ごとのＲＳＳＩの閾値を用いてバッファアンプ１０から出力される受信用のローカル信号のレベルを制御する。なお、変調処理に応じたＲＳＳＩの閾値は、受信強度の特定閾値と呼ぶこともある。
【００８５】
第３実施形態では、例えば、ＱＰＳＫのＲＳＳＩの閾値（以下「ＰＳＫ閾値」と称する）が−９０ｄＢｍに設定され、６４ＱＡＭのＲＳＳＩの閾値（以下「ＱＡＭ閾値」と称する）が−７０ｄＢｍに設定される。これは、ＱＰＳＫよりも６４ＱＡＭの受信特性の方が劣化し易いため、６４ＱＡＭのＲＳＳＩの閾値を高くする必要があるからである。
【００８６】
図４は、第３実施形態におけるノイズ処理方法を示すフローチャートである。
【００８７】
まず、送信処理部１７は、６４ＱＡＭまたはＱＰＳＫの変調方式を設定し、その変調方式に対応する変調処理をデータ信号に施して送信信号を生成する。また、送信処理部１７は、送信信号の電力を電力Ｐに設定し、設定後の送信信号を送信部５Ａに出力する（ステップＳ３１）。差分算出部１８は、送信処理部１７が設定した電力Ｐから前回の電力Ｐpreを減算した電力差分Ｐdiffを算出する（ステップＳ３２）。
【００８８】
差分算出部１８が電力差分Ｐdiffを算出するとレベル制御部１９は、電力差分Ｐdiffと変動量閾値とを比較する（ステップＳ３３）。そしてレベル制御部１９は、電力差分Ｐdiffが変動量閾値以下である場合には、バッファアンプ１０を制御して受信用のローカル信号のレベルを通常のレベルに設定する（ステップＳ３９）。
【００８９】
一方、電力差分Ｐdiffが変動量閾値を超える場合には受信処理部２０は、復調用の受信信号のＲＳＳＩ値を測定する（ステップＳ３４）。また、受信処理部２０は、受信信号に施された変調処理を特定し、変調処理を示す変調情報を生成する。受信処理部２０は、ＲＳＳＩ値と変調情報とをレベル制御部１９に出力する。
【００９０】
レベル制御部１９は、変調処理を示す変調情報を受け付けると、変調情報の示す変調処理が６４ＱＡＭの変調方式であるか否かを判断する（ステップＳ３５）。
【００９１】
レベル制御部１９は、変調情報の示す変調処理が６４ＱＡＭである場合には、６４ＱＡＭの変調処理に応じたＲＳＳＩのＱＡＭ閾値（−７０ｄＢｍ）を特定する。レベル制御部１９は、受信処理部２０からＲＳＳＩ値を受け付け、ＲＳＳI値とＱＡＭ閾値とを比較する（ステップＳ３６）。レベル制御部１９は、ＲＳＳＩ値がＱＡＭ閾値以上である場合には、バッファアンプ１０から出力される受信用のローカル信号のレベルを通常のレベルにする（ステップＳ４０）。
【００９２】
一方、ＲＳＳＩ値がＱＡＭ閾値未満である場合にはレベル制御部１９は、バッファアンプ１０から出力される受信用のローカル信号のレベルを通常のレベルよりも高くする（ステップＳ３８）。よって、無線装置１００は、復調用の受信信号のＣ／Ｎ比を向上させ、受信信号のノイズ耐性を強めることにより、受信感度の劣化を抑制することが可能となる。
【００９３】
また、レベル制御部１９は、変調情報の示す変調処理がＱＰＳＫである場合には、ＱＰＳＫの変調処理に応じたＲＳＳＩのＰＳＫ閾値（−９０ｄＢｍ）を特定する。そしてレベル制御部１９は、ＲＳＳI値とＰＳＫ閾値とを比較する（ステップＳ３７）。レベル制御部１９は、ＲＳＳＩ値がＰＳＫ閾値以上である場合には、バッファアンプ１０から出力される受信用のローカル信号のレベルを通常のレベルにする（ステップＳ３９）。
【００９４】
一方、ＲＳＳＩ値がＰＳＫ閾値未満である場合にはレベル制御部１９は、バッファアンプ１０から出力される受信用のローカル信号のレベルを通常のレベルよりも高くする（ステップＳ３８）。
【００９５】
第３実施形態によれば、送信処理部１７が、６４ＱＡＭまたはＱＰＳＫの変調処理をデータ信号に施して送信信号を生成し、その送信信号を送信部５Ａに出力する。また、受信処理部１７は、復調用の受信信号に施された変調処理を特定する。また、レベル制御部１９は、６４ＱＡＭおよびＱＰＳＫの変調処理に応じたＲＳＳＩの閾値を保持している。レベル制御部１９は、電力差分が変動量閾値を超えるときは、受信信号のＲＳＳＩ値が、受信処理部２０が特定した変調処理に応じた閾値を超える場合に、ローカル信号のレベルを通常のレベルよりも高くする。
【００９６】
このため、第３実施形態の無線装置は、受信信号に施された変調処理に適した閾値を特定し、その閾値よりもＲＳＳＩ値が大きい場合には、バッファアンプ１０から出力される受信用のローカル信号のレベルを高くすることなく通常のレベルに維持する。よって、無線装置は、受信信号に施された変調処理ごとに適した受信用のローカル信号のレベルの制御を行うことが可能となり、受信用のローカル信号の不要なレベル制御を低減することが可能となる。したがって第３実施形態の無線装置では、第２実施形態よりもさらにバッファアンプ１０の消費電力を抑制することが可能となる。
【００９７】
次に第４実施形態の無線装置について説明する。なお、第４実施形態の無線装置の基本的な構成は、第２実施形態の無線装置と同様の構成である。
【００９８】
ＬＴＥを採用する通信システムでは、無線装置と無線基地局との間の電波の伝搬状況に応じて、１．４ＭＨｚ、３ＭＨｚ、５ＭＨｚ、１０ＭＨｚ、１５ＭＨｚ、２０ＭＨｚのうち、いずれか１つの周波数帯域幅の送信信号が送信される。周波数帯域幅が広い受信信号ほど、復調に必要とされる受信信号のＣ／Ｎ比は大きくなる。つまり、周波数帯域幅が広い受信信号ほど、復調に必要とされるＲＳＳＩ値が高くなる。
【００９９】
そこで第４実施形態のレベル制御部１９は、受信信号の周波数帯域幅ごとに周波数帯域幅に応じたＲＳＳIの閾値を予め保持し、周波数帯域幅ごとのＲＳＳＩの閾値を用いてバッファアンプ１０から出力される受信用のローカル信号のレベルを制御する。なお、周波数帯域幅に応じたＲＳＳＩの閾値は、受信強度の所定閾値と呼ぶこともある。
【０１００】
まず、送信処理部１７は、送信信号の周波数帯域幅を、複数の周波数帯域幅のうちいずれか１つの送信周波数帯域幅に設定する。また、送信処理部１７は、送信信号の電力を電力Ｐに設定し、送信周波数帯域幅の送信信号を送信部５Ａに出力する（ステップＳ４１）。差分算出部１８は、送信処理部１７が設定した電力Ｐから前回の電力Ｐpreを減算した電力差分Ｐdiffを算出する（ステップＳ４２）。
【０１０１】
差分算出部１８が電力差分Ｐdiffを算出するとレベル制御部１９は、電力差分Ｐdiffと変動量閾値とを比較する（ステップＳ４３）。そしてレベル制御部１９は、電力差分Ｐdiffが変動量閾値以下である場合には、バッファアンプ１０から出力される受信用のローカル信号のレベルを通常のレベルに設定する（ステップＳ４４）。
【０１０２】
一方、電力差分Ｐdiffが変動量閾値を超える場合には受信処理部２０は、復調用の受信信号のＲＳＳＩ値を測定する（ステップＳ４５）。また、受信処理部２０は、周波数帯域幅を示す帯域情報を含む受信信号を受け付けると、受信信号の周波数帯域幅を特定し、その周波数帯域幅を示す帯域幅情報を生成する。受信処理部２０は、ＲＳＳＩ値と帯域幅情報とをレベル制御部１９に出力する。
【０１０３】
レベル制御部１９は、受信信号の周波数帯域幅を示す帯域幅情報を受け付けると、帯域幅情報の示す周波数帯域幅に応じたＲＳＳＩの該当閾値を特定する（ステップＳ４６）。そしてレベル制御部１９は、受信処理部２０からＲＳＳＩ値を受け付け、そのＲＳＳI値と該当閾値とを比較する（ステップＳ４７）。レベル制御部１９は、ＲＳＳＩ値が該当閾値以上である場合には、バッファアンプ１０から出力される受信用のローカル信号のレベルを通常のレベルにする（ステップＳ４８）。
【０１０４】
一方、ＲＳＳＩ値が該当閾値未満である場合にはレベル制御部１９は、バッファアンプ１０から出力される受信用のローカル信号のレベルを通常のレベルよりも高くする（ステップＳ４４）。よって、無線装置１００は、復調用の受信信号のＣ／Ｎ比を向上させ、受信信号のノイズ耐性を強めることにより、送信信号の信号ラインからのカップリングに起因する受信感度の劣化を抑制することが可能となる。
【０１０５】
第４実施形態によれば、送信処理部１７は、複数の周波数帯域幅の中から選択された送信周波数帯域幅の送信信号を送信部５１Ａに出力する。また、レベル制御部１９は、複数の周波数帯域幅に応じたＲＳＳＩの閾値を保持している。受信処理部２０は、復調用の受信信号のＲＳＳＩ値を測定し、さらに受信信号の周波数帯域幅を特定する。そしてレベル制御部１９は、受信信号のＲＳＳＩ値が、受信処理部２０が特定した周波数帯域幅に応じた閾値を超える場合にバッファアンプ１０から出力される受信用のローカル信号のレベルを通常のレベルにする。
【０１０６】
このため、第４実施形態の無線装置は、受信信号の周波数帯域幅に適したＲＳＳＩの閾値よりも受信信号のＲＳＳＩ値が大きい場合には、バッファアンプ１０から出力される受信用のローカル信号のレベルを高くすることなく通常のレベルに維持する。よって、無線装置は、周波数帯域幅ごとに適したローカル信号のレベルの制御を行うことが可能となり、バッファアンプ１０の消費電力を抑制することが可能となる。
【０１０７】
以上説明した各実施形態において、図示した構成は単なる一例であって、本発明はその構成に限定されるものではない。
【符号の説明】
【０１０８】
１００  無線装置
１  信号処理部
１Ａ  ノイズ処理部
２  ＲＦ装置
３  アンテナ
４  ＲＦ部
５  ＲＦＩＣ部
５Ａ  送信部
６  アンテナＳＷ
７  フィルタ
８  ＬＮＡ
９、１４  変換回路
１０、１３  バッファアンプ
１１  Ｒｘ発振器
１２  Ｔｘ発振器
１５  増幅器
１６  アイソレータ
１７  送信処理部
１８  差分算出部
１９  レベル制御部
２０  受信処理部
【図１】
2012165164.tif 000003
【図２】
2012165164.tif 000004
【図３】
2012165164.tif 000005
【図４】
2012165164.tif 000006
【図５】
2012165164.tif 000007